(57)【要約】【課題】簡易な構成で製造コストを大幅に削減することが可能となるスプリング装着装置を提供する。【解決手段】スプリング取付冶具７は、支柱部材６に一方の側縁部が上下移動可能に取り付けられた板状の上側ブラケット２１と、上側ブラケット２１の直下に配置されて、支柱部材６に一方の側縁部が上下移動可能に取り付けられた板状の下側ブラケット２２と、上側ブラケット２１の上端縁部に後側端部が上下方向に回動可能に取り付けられた旋回レバー２３と、旋回レバー２３と下側ブラケット２２の前面部とに両端が回動可能に連結された連結レバーリンク２５と、上側ブラケット２１の前面部から下側ブラケット２２の前面部に対向して上下方向に配置されて操作軸１３の上側に同軸に配置される回転軸２６と、回転軸２６に挿通されて上下移動可能に設けられて下端部にトーションスプリング７３が装着されるカラー部材３１と、を有するように構成する。【選択図】図１
2019055467.tif 000002
【特許請求の範囲】
【請求項１】
基台上に固定されて、トーションスプリングが挿通されて内側端部が掛着される装着軸が上方に突出すると共に、トーションスプリングの巻き出された外側端部が掛着されるバネ掛片が立設された被装着部材が上側に位置決めセットされる下側載置台と、
前記基台上に立設された支柱部材と、
前記支柱部材に一方の側縁部が上下移動可能に取り付けられると共に、前記下側載置台の所定高さ上側にセットされて、前記装着軸の真上に対応させて前記トーションスプリングを下端部に保持可能なスプリング取付冶具と、
を備え、
前記スプリング取付冶具は、
前記支柱部材に一方の側縁部が上下移動可能に取り付けられると共に、前記支柱部材から上下方向に沿って前記下側載置台の上側に突出して、所定高さ下降して前記トーションスプリングの取り付け高さにセットされた際に、上下移動不能に固定される板状の上側ブラケットと、
前記上側ブラケットの上端縁部に後側端部が上下方向に回動可能に取り付けられた旋回レバーと、
前記上側ブラケットの直下に配置されて、前記支柱部材に一方の側縁部が上下移動可能に取り付けられると共に、前記支柱部材から上下方向に沿って前記下側載置台の上側に突出する板状の下側ブラケットと、
上端部が前記旋回レバーに回動可能に連結されると共に、下端部が前記下側ブラケットの前面部に回動可能に連結された連結レバーリンクと、
前記上側ブラケットの前面部から前記下側ブラケットの前面部に対向して上下方向に配置されて回転自在に支持される回転軸と、
前記上側ブラケットの前面部から突出して設けられ、前記回転軸を回転自在に支持する軸支持部材と、
前記下側ブラケットの上端縁部から前面側に延出されて、前記回転軸が回転可能に挿通される当接部材と、
前記回転軸に下側から上下に摺動移動可能に挿通されて、上端部が前記当接部材に回転可能に当接されると共に、下端部が前記回転軸の下端部に位置する略円筒状のカラー部材と、
一端が前記軸支持部材に掛着されると共に、他端が前記カラー部材の下端部に掛着されて、前記カラー部材及び前記当接部材を介して前記下側ブラケットを上方に持ち上げる引張コイルバネと、
前記回転軸の上端部に設けられて、前記回転軸の上端部が回転しないようにロックする回転ロック部材と、
前記カラー部材が前記トーションスプリングを前記装着軸に掛着する位置まで下がった際に、前記回転ロック部材のロックを解除するロック解除部材と、
を有し、
前記カラー部材は、
外周面に所定幅で軸方向に沿って斜め螺旋状に切り欠かれた案内切欠溝と、
前記回転軸の下端部外周面との間に、前記トーションスプリングの外側端部を外方に突出させた状態で下方から挿入可能なスプリング取付溝と、
を有し、
前記回転軸は、前記当接部材に当接した前記カラー部材の前記案内切欠溝から径方向外側に突出する突出軸部材を有し、
前記旋回レバーを下方に回動させることによって、前記連結レバーリンクを介して前記下側ブラケットが下方に移動されると共に、前記カラー部材が前記当接部材を介して前記案内切欠溝に沿って下方に押下げられつつ軸回りに回動されることによって、前記トーションスプリングが前記装着軸に挿通されて内側端部が掛着されると共に、前記トーションスプリングの巻き出された外側端部が前記バネ掛片よりも周方向外側に回動された後、
前記ロック解除部材によって前記回転ロック部材による前記回転軸のロックが解除されて、前記突出軸部材を介して前記カラー部材及び前記回転軸が前記バネ掛片側へ回動されて、前記トーションスプリングの巻き出された外側端部が前記バネ掛片に掛着される、
スプリング装着装置。
【請求項２】
請求項１に記載のスプリング装置において、
前記回転軸は、前記上側ブラケットが上下移動不能に固定された際に、下端が前記装着軸の上端に同軸に当接される、
スプリング装着装置。
【請求項３】
請求項１又は請求項２に記載のスプリング装着装置において、
前記スプリング取付冶具は、
前記上側ブラケットを上方向へ付勢する持ち上げ付勢手段と、
前記上側ブラケットの後側に設けられて、前記上側ブラケットが所定高さ下降して前記トーションスプリングの取り付け高さにセットされた際に、前記支柱部材から前記上側ブラケット側へ突出された位置決めピンに係合するロック爪と、
を有し、
前記ロック爪が前記位置決めピンに係合することによって、前記上側ブラケットが上下移動不能に固定される、
スプリング装着装置。
【請求項４】
請求項３に記載のスプリング装着装置において、
前記スプリング取付冶具は、
一端側が前記回転軸に固定されて、他端側が前記上側ブラケットの後側に前後方向に回動可能に支持されると共に前記ロック爪に対向するように設けられた平面視略コの字形のリンク機構を有し、
前記ロック解除部材によって前記回転ロック部材による前記回転軸のロックが解除されて、前記回転軸及び前記リンク機構の一端側が前記バネ掛片側へ回動されることによって、前記リンク機構の他端側が前記ロック爪を後方側へ回動して、前記ロック爪と前記位置決めピンとの係合が解除される、
スプリング装着装置。
【請求項５】
請求項１乃至請求項４のいずれか一項に記載のスプリング装置において、
前記基台上に、前記下側載置台と前記支柱部材と前記スプリング取付冶具とが左右対称に２つずつ配設され、
左右一対の前記旋回レバーの前端部を連結する連結レバー部材を備える、
スプリング装着装置。
【発明の詳細な説明】
【技術分野】
【０００１】
本発明は、トーションスプリングを装着するスプリング装着装置に関する。
【背景技術】
【０００２】
車両用シートにおいて、シートクッションの車幅方向外側の側部に装着される各種スプリングを被装着部材のスプリング装着部位に装着するスプリング装着装置が種々提案されている。例えば、下記特許文献１に開示されたスパイラルスプリング装着装置では、スパイラルスプリングの巻芯端と係止端を被装着部材のスプリング装着部位に装着するにあたり、下側冶具の上下弾性動及び回転動自在の第１軸の上端部にスパイラルスプリングの巻芯端を位置決めセットする。
【０００３】
そして、第１軸を回転させて巻芯端を回転させて係止端を下側冶具の上下弾性動自在の第２軸に係止させる。続いて、更に第１軸を回転させて、スパイラルスプリングを所定量巻き取って巻芯端を位相調整する。次いで、巻芯端及び係止端の真上に配置した被装着部材を装着した上下動自在の上側冶具を下降させて、下側冶具の第１軸及び第２軸から被装着部材のスプリング装着部位に、スパイラルスプリングの巻芯端及び係止端を乗り移らせるように構成されている。
【先行技術文献】
【特許文献】
【０００４】
【特許文献１】特開２０００−２３７７２号公報
【発明の概要】
【発明が解決しようとする課題】
【０００５】
しかしながら、前記特許文献１に記載されたスパイラルスプリング装着装置では、下側冶具の第１軸を回転させるエンコーダ付きサーボモータ、上側冶具を昇降させる駆動シリンダ等が必要となる。更に、サーボモータと駆動シリンダを駆動制御する制御装置等も必要となり、製造コストが高価になるという問題がある。
【０００６】
そこで、本発明は、このような点に鑑みて創案されたものであり、簡易な構成で製造コストを大幅に削減することが可能となるスプリング装着装置を提供することを目的とする。
【課題を解決するための手段】
【０００７】
上記課題を解決するスプリング装着装置は、基台上に固定されて、トーションスプリングが挿通されて内側端部が掛着される装着軸が上方に突出すると共に、トーションスプリングの巻き出された外側端部が掛着されるバネ掛片が立設された被装着部材が上側に位置決めセットされる下側載置台と、前記基台上に立設された支柱部材と、前記支柱部材に一方の側縁部が上下移動可能に取り付けられると共に、前記下側載置台の所定高さ上側にセットされて、前記装着軸の真上に対応させて前記トーションスプリングを下端部に保持可能なスプリング取付冶具と、を備え、前記スプリング取付冶具は、前記支柱部材に一方の側縁部が上下移動可能に取り付けられると共に、前記支柱部材から上下方向に沿って前記下側載置台の上側に突出して、所定高さ下降して前記トーションスプリングの取り付け高さにセットされた際に、上下移動不能に固定される板状の上側ブラケットと、前記上側ブラケットの上端縁部に後側端部が上下方向に回動可能に取り付けられた旋回レバーと、前記上側ブラケットの直下に配置されて、前記支柱部材に一方の側縁部が上下移動可能に取り付けられると共に、前記支柱部材から上下方向に沿って前記下側載置台の上側に突出する板状の下側ブラケットと、上端部が前記旋回レバーに回動可能に連結されると共に、下端部が前記下側ブラケットの前面部に回動可能に連結された連結レバーリンクと、前記上側ブラケットの前面部から前記下側ブラケットの前面部に対向して上下方向に配置されて回転自在に支持される回転軸と、前記上側ブラケットの前面部から突出して設けられ、前記回転軸を回転自在に支持する軸支持部材と、前記下側ブラケットの上端縁部から前面側に延出されて、前記回転軸が回転可能に挿通される当接部材と、前記回転軸に下側から上下に摺動移動可能に挿通されて、上端部が前記当接部材に回転可能に当接されると共に、下端部が前記回転軸の下端部に位置する略円筒状のカラー部材と、一端が前記軸支持部材に掛着されると共に、他端が前記カラー部材の下端部に掛着されて、前記カラー部材及び前記当接部材を介して前記下側ブラケットを上方に持ち上げる引張コイルバネと、前記回転軸の上端部に設けられて、前記回転軸の上端部が回転しないようにロックする回転ロック部材と、前記カラー部材が前記トーションスプリングを前記装着軸に掛着する位置まで下がった際に、前記回転ロック部材のロックを解除するロック解除部材と、を有し、前記カラー部材は、外周面に所定幅で軸方向に沿って斜め螺旋状に切り欠かれた案内切欠溝と、前記回転軸の下端部外周面との間に、前記トーションスプリングの外側端部を外方に突出させた状態で下方から挿入可能なスプリング取付溝と、を有し、前記回転軸は、前記当接部材に当接した前記カラー部材の前記案内切欠溝から径方向外側に突出する突出軸部材を有し、前記旋回レバーを下方に回動させることによって、前記連結レバーリンクを介して前記下側ブラケットが下方に移動されると共に、前記カラー部材が前記当接部材を介して前記案内切欠溝に沿って下方に押下げられつつ軸回りに回動されることによって、前記トーションスプリングが前記装着軸に挿通されて内側端部が掛着されると共に、前記トーションスプリングの巻き出された外側端部が前記バネ掛片よりも周方向外側に回動された後、前記ロック解除部材によって前記回転ロック部材による前記回転軸のロックが解除されて、前記突出軸部材を介して前記カラー部材及び前記回転軸が前記バネ掛片側へ回動されて、前記トーションスプリングの巻き出された外側端部が前記バネ掛片に掛着される。
【０００８】
この構成によれば、カラー部材を昇降させる駆動シリンダ、カラー部材を回転させるエンコーダ付きサーボモータ等を必要とせず、簡易な構成で製造コストを大幅に削減することが可能となる。また、作業者はカラー部材の下端部にトーションスプリングを挿入した後、スプリング取付冶具を所定高さ下降させて、旋回レバーを下方に回動させることによって被装着部材にトーションスプリングを取り付けることができ、組み付け工程の大幅な作業効率の向上を図ることができる。
【０００９】
上記スプリング装着装置は、前記回転軸は、前記上側ブラケットが上下移動不能に固定された際に、下端が前記装着軸の上端に同軸に当接される、構成であることが好ましい。
【００１０】
この構成によれば、上側ブラケットが上下移動不能に固定された際に、回転軸の下端が装着軸の上端に当接されるため、トーションスプリングを装着軸にスムーズに挿通することができ、組み付け工程の更なる作業効率の向上を図ることができる。
【００１１】
上記スプリング装着装置は、前記スプリング取付冶具は、前記上側ブラケットを上方向へ付勢する持ち上げ付勢手段と、前記上側ブラケットの後側に設けられて、前記上側ブラケットが所定高さ下降して前記トーションスプリングの取り付け高さにセットされた際に、前記支柱部材から前記上側ブラケット側へ突出された位置決めピンに係合するロック爪と、を有し、前記ロック爪が前記位置決めピンに係合することによって、前記上側ブラケットが上下移動不能に固定される、構成であることが好ましい。
【００１２】
この構成によれば、スプリング取付冶具を所定高さ下降してトーションスプリングの取り付け高さにセットすると、ロック爪が位置決めピンに係合して、上側ブラケットが上下移動不能に固定される。これにより、簡易な構成で、スプリング取付冶具の上側ブラケットをワンタッチで上下移動不能に固定することができ、製造コストを大幅に削減することが可能となる。また、組み付け工程の更なる作業効率の向上を図ることができる。
【００１３】
上記スプリング装着装置は、前記スプリング取付冶具は、一端側が前記回転軸に固定されて、他端側が前記上側ブラケットの後側に前後方向に回動可能に支持されると共に前記ロック爪に対向するように設けられた平面視略コの字形のリンク機構を有し、前記ロック解除部材によって前記回転ロック部材による前記回転軸のロックが解除されて、前記回転軸及び前記リンク機構の一端側が前記バネ掛片側へ回動されることによって、前記リンク機構の他端側が前記ロック爪を後方側へ回動して、前記ロック爪と前記位置決めピンとの係合が解除される、構成であることが好ましい。
【００１４】
この構成によれば、旋回レバーが下方に回動されて被装着部材にトーションスプリングが取り付けられると同時に、ロック爪と位置決めピンとの係合が解除されるため、スプリング取付冶具が上方向に持ち上げられる。これにより、次のトーションスプリングをカラー部材の下端部に迅速に装着することが可能となり、組み付け工程の更なる作業効率の向上を図ることができる。
【００１５】
上記スプリング装着装置は、前記基台上に、前記下側載置台と前記支持部材と前記スプリング取付冶具とが左右対称に２つずつ配設され、左右一対の前記旋回レバーの前端部を連結する連結レバー部材を備える、構成であることが好ましい。
【００１６】
この構成によれば、左右一対のカラー部材のそれぞれの下端部にトーションスプリングを装着した後、連結レバー部材を下方に回動することによって、一度に２個のトーションスプリングをそれぞれ被装着部材に取り付けることが可能となり、組み付け工程の更なる作業効率の向上を図ることができる。
【発明の効果】
【００１７】
本発明は、上記各発明の手段をとることによって、簡易な構成で製造コストを大幅に削減することが可能となるスプリング装着装置を提供することができる。
【図面の簡単な説明】
【００１８】
【図１】本実施形態に係るスプリング装着装置の正面図である。
【図２】本実施形態に係るスプリング装着装置の右側面図である。
【図３】本実施形態に係るスプリング装着装置のスプリング取付冶具の上面図である。
【図４】スプリング取付冶具を所定高さ下降させた状態を示す右側面図である。
【図５】旋回レバーを下方に回動してトーションスプリングを操作軸に取り付けた状態を示す右側面図である。
【図６】図５に対応するスプリング取付冶具の上面図である。
【図７】スプリング取付冶具が初期位置に上昇した状態を示す右側面図である。
【図８】トーションスプリングを示す斜視図である。
【図９】リクライニングプレートのトーションスプリングを取り付ける部分を示す斜視図である。
【図１０】他の実施形態に係るスプリング装着装置を示す正面図である。
【発明を実施するための形態】
【００１９】
以下、本発明に係るスプリング装着装置を具体化した一実施形態に基づき図面を参照しつつ詳細に説明する。先ず、本実施形態に係るスプリング装着装置１の概略構成について図１乃至図３、図８、図９に基づいて説明する。各図中、作業者が立つ側をスプリング装着装置１の前側として、矢印によりスプリング装着装置１の各方向を示している。以下の説明において、方向に関する記述は、この方向を基準として行うものとする。
【００２０】
図１乃至図３に示すように、スプリング装着装置１は、基台３と、基台３上に配置された下側載置台５と、基台３上に立設された略縦長板状の支柱部材６と、支柱部材６の右側面に左側縁部が上下移動可能に取り付けられるスプリング取付冶具７と、スプリング取付冶具７を上方へ持ち上げるワイヤ巻取装置８等から構成されている。
【００２１】
下側載置台５は、前後方向に長い縦長略箱体状に形成され、シートバックフレームを構成するサイドフレーム１１が、各位置決めピン５Ａによって位置決めされて、上側に載置される。サイドフレーム１１は、リクライニング装置を構成するリクライニングプレート１２（被装着部材）が回動可能に取り付けられた下端部側が手前側になるように下側載置台５上に略水平に載置される。
【００２２】
また、リクライニング装置のロック・アンロック切替操作時に軸回転操作される断面矩形状の角張った操作軸（装着軸）１３が、リクライニングプレート１２の略中心部分に形成された略矩形状の貫通孔１２Ａ（図９参照）から、リクライニングプレート１２に対して回動不能に上方へ突出している。また、リクライニングプレート１２のサイドフレーム及び下側載置台５に対する回転位置が、位置決め孔１２Ｂ（図９参照）に挿通された位置決めピン５Ａによって位置決めされている。これにより、操作軸１３は、下側載置台５に対する回転角度が位置決めされて、リクライニングプレート１２から上方に突出している。
【００２３】
略縦長板状の支柱部材６は、下側載置台５に載置されたサイドフレーム１１のリクライニングプレート１２に対向するように、下側載置台５の左側近傍位置にネジ止め等により立設されている。また、支柱部材６の下側載置台５に対向する面には、上端縁部の後側角部にプーリー１５が回転可能に軸支されている。また、支柱部材６の下側載置台５に対向する面には、前後方向における操作軸１３に対向する位置に、上端縁部から少し下側の位置から下側載置台５の上端面に対向する位置まで、各直動軸受１６を案内するガイドレール１７が、上下方向に沿ってネジ止め等により取り付けられている。
【００２４】
スプリング取付冶具７は、上側ブラケット２１と、上側ブラケット２１の直下に配置された下側ブラケット２２と、旋回レバー２３と、連結レバーリンク２５と、上側ブラケット２１の前面部から突出して回転軸２６を回転自在に支持する軸支持部材２７と、下側ブラケット２２の上端縁部に取り付けられた当接ブラケット（当接部材）２８と、略円筒状のカラー部材３１と、引張コイルバネ３２等から構成されている。
【００２５】
上側ブラケット２１の概略構成について図１乃至図３に基づいて説明する。上側ブラケット２１は、左側縁部の上下端部に一対の直動軸受１６が取り付けられ、支柱部材６に対して上下移動可能に取り付けられている。また、上側ブラケット２１は、正面視略横長矩形の板状に形成され、各直動軸受１６を介して支柱部材６の右側面に対して上下方向に沿って垂直に突出して、通常時は、下側載置台５の所定高さ上側に位置している。
【００２６】
具体的には、上側ブラケット２１の上端縁部には、正面視左上角部に形成された貫通孔２１Ａに、ワイヤ３３の一端が挿通されて係止されている。このワイヤ３３の他端側は、プーリー１５を介して、支柱部材６の後側に配置されたワイヤ巻取装置８の内部に巻回されるワイヤ３５の外側端部に連結されている。これにより、ワイヤ３３は、ワイヤ３５を介してワイヤ巻取装置８（持ち上げ付勢手段）に巻き取られるため、プーリー１５に掛けられたワイヤ３３を介して上側ブラケット２１は上方向へ付勢され、上方へ持ち上げられる。
【００２７】
また、支柱部材６の上側ブラケット２１よりも後側の面には、略直角右側方向へ延出された左右方向に長い平面視矩形状のネジ取付板３６が設けられ、先端部の前後方向中央位置に形成されたネジ孔３６Ａに高さ調整用の長ネジ３７の先端部がねじこまれている。また、上側ブラケット２１の後側面の下端縁部には、ネジ取付板３６の先端部に対向するように平面視矩形状の延出板３８が略直角後側方向へ延出されている。従って、ワイヤ３３を介して上方へ持ち上げられる上側ブラケット２１は、通常時は、後側に延出された延出板３８が長ネジ３７の頭部に当接されることによって、下側載置台５の所定高さ上側にセットされる。
【００２８】
また、上側ブラケット２１の左側縁の下端部には、先端部が球状に形成された持ち手４１が前側方向へ突出して設けられ、上側ブラケット２１を下方に押下可能となっている。また、上側ブラケット２１の前面部の右下角部には、前側に突出する側面視Ｌ字形のブラケット４３が取り付けられ、フランジ付ガイドブッシュ４２がブラケット４３に上方から嵌挿されて固定されている。従って、ブラケット４３には、フランジ付ガイドブッシュ４２の筒部４２Ａが嵌挿される不図示の貫通孔が形成されている。
【００２９】
フランジ付ガイドブッシュ４２は、回転軸２６を回転自在に支持すると共に、回転軸２６の上端部が上側ブラケット２１の上端部よりも少し上側に突出し、且つ、回転軸２６の下端部が下側ブラケット２２の下端部よりも少し下側に突出するように支持している。従って、回転軸２６は、上側ブラケット２１の前面部から下側ブラケット２２の前面部に対向して上下方向に配置されて、回転自在に支持されている。フランジ付ガイドブッシュ４２とブラケット４３が軸支持部材２７を構成する。
【００３０】
また、フランジ付ガイドブッシュ４２の筒部４２Ａの下端部には、平面視Ｃ形状のブッシュ４５が、回転軸２６にネジ止め等によって固定され、筒部４２Ａの下端面に摺動可能に当接されている。また、図１〜図３に示すように、平面視コの字形のリンク機構４６を構成する第１のリンク板４６Ａの一端が回転軸２６に挿通されて、ブッシュ４５の下端面にネジ止め等によって固定され、回転軸２６及びブッシュ４５と一体的に回転可能に固定されている。上側ブラケット２１よりも右側に配置される第１のリンク板４６Ａの他端には、リンク機構４６を構成する細長板状の第２のリンク板４６Ｂの一端が互いに回転自在に取り付けられている。
【００３１】
上側ブラケット２１よりも後側に配置される第２のリンク板４６Ｂの他端には、リンク機構４６を構成する細長板状の第３のリンク板４６Ｃの一端が互いに回転自在に取り付けられている。第３のリンク板４６Ｃの長手方向略中央部は、側面視Ｌ字形のリンク取付ブラケット４７の下面に回転自在に軸支されている。この側面視Ｌ字形のリンク取付ブラケット４７は、上側ブラケット２１の後側下端縁部の左右方向中央位置から下方に所定長さ延出された後、略直角後側へ延出されて形成されている。また、第３のリンク板４６Ｃの他端は、支柱部材６の近傍に位置している。従って、後述のように、回転軸２６が平面視時計方向へ所定角度回転すると、第３のリンク板４６Ｃの他端は、後側方向へ揺動される（図６参照）。
【００３２】
また、上側ブラケット２１の後側面の左側縁部には、後側方向に所定長さ延出された後、略直角左側方向へ直動軸受１６の厚さにほぼ等しい長さだけ延出されたロック爪取付板５１が設けられている。ロック爪取付板５１の左側の面には、上下方向に長い細長板状のロック爪５２が、長手方向中央位置よりも少し上側の位置において、前後方向に回動自在に軸支されている。ロック爪５２の下端部には、前側の側面から側面視直角三角形状に突出した係合突起５２Ａが形成されている。また、ロック爪５２の長手方向中央部には、前側の側面から側面視矩形状に突出する突出部５２Ｂが形成されている。
【００３３】
また、ロック爪５２の上端部とロック爪取付板５１の後端縁部の下端部との間には、引張コイルバネ５３が取り付けられ、ロック爪５２の上端部が後側方向へ回動するように付勢されている。後側方向へ回動するように付勢されているロック爪５２の上端部は、ロック爪取付板５１の後端縁部の上端部から前側へ突出するネジ５５の頭部に当接され、ロック爪５２が全体として少し斜め後側へ傾斜するように設定されている。また、ロック爪５２の係合突起５２Ａから所定高さ下方には、支柱部材６の右側面に立設された位置決めピン５７が設けられている。これにより、後述のように、スプリング取付冶具７が所定高さ下方へ移動されて、回転軸２６の下端面が操作軸１３の上端面に当接された際に、係合突起５２Ａが位置決めピン５７に係合する（図４参照）。
【００３４】
また、フランジ付ガイドブッシュ４２の上側には、回転軸２６の平面視時計方向への回転を阻止する回転ロック部材６１が設けられている。回転ロック部材６１は、回転軸２６にネジ止め等によって固定される平面視Ｃ形状のブッシュ６２と、ブッシュ６２を挟んで当該ブッシュ６２の上下面にネジ止めによって固定される上側ロック板６３、下側ロック板６５と、上側ロック板６３の左側に配置されるロックレバー６６と、ロックレバー６６上下方向に回動可能に軸支する支持ブラケット６７等から構成されている。
【００３５】
図３に示すように、上側ロック板６３は、略円板状に形成され、周縁部の左端側において、外周から所定寸法内側までの円弧状部分において、後側半分が切り欠かれると共に、切り欠いた基端部側が所定長さ直角下側方向へ折り曲げられて、下側ロック板６５に達し、段差部６３Ａが形成されている。また、上側ロック板６３の左側に配置される略細長平板状のロックレバー６６は、長手方向中央位置よりも少し後側の位置が、上側ブラケット２１の前面部から平面視Ｌ字状に突出した支持ブラケット６７の先端部の右側に軸支されている。
【００３６】
ロックレバー６６の先端側の右面には、このロックレバー６６が自重で下方に回動された際に、段差部６３Ａに上方から進入して当接可能なロックポスト６６Ａが立設されている。また、ロックレバー６６の上面の後端部から直角右側方向へ所定長さ延出された押さえ部６６Ｂが設けられている。尚、後述のように、旋回レバー２３が下方へ回動された場合には、回転軸２６及び回転ロック部材６１は、引張コイルバネ３２によって平面視時計方向に回動付勢されるため、段差部６３Ａは、ロックポスト６６Ａに当接して、平面視時計方向への回転がロックされる。
【００３７】
また、下側ロック板６５は、平面視左右方向に長い略矩形状に形成され、右端側が上側ロック板６３の外周よりも外側へ突出している。また、回転ロック部材６１の直下には、上側ロック板６３の外径にほぼ等しい左右幅を有する上方に開放された側面視コの字状の回転止めブラケット６９が設けられている。この回転止めブラケット６９の後端部は、上側ブラケット２１の前面部に取り付けられている。
【００３８】
また、断面略四角形の筒状に形成された旋回レバー２３の後端部は、支持ブラケット６７に対向する上側ブラケット２１の裏側の上端部に、上下方向に回動自在に取り付けられている。また、旋回レバー２３の後端部から少し手前側の下面には、この旋回レバー２３を下方に回動した際に、ロックレバー６６の押さえ部６６Ｂに対向するように右側縁部から外方へ延出された側面視矩形で平板状のロック解除部材７１が設けられている。
【００３９】
これにより、後述のように、旋回レバー２３が下方に回動されて、ロック解除部材７１がロックレバー６６の押さえ部６６Ｂを下方に押下することによって、段差部６３Ａからロックポスト６６Ａが上方に回動されてロックが解除される。そして、回転ロック部材６１が更に平面視時計方向へ勢いよく回動された際には、下側ロック板６５の右端部が、回転止めブラケット６９の前端縁部に当接して、それ以上の回転が阻止される（図６参照）。
【００４０】
次に、下側ブラケット２２の概略構成について図１乃至図３に基づいて説明する。図１乃至図３に示すように、下側ブラケット２２は、左側縁部の上下端部に一対の直動軸受１６が取り付けられ、支柱部材６に対して上下移動可能に取り付けられている。また、下側ブラケット２２は、正面視略横長矩形の板状に形成され、各直動軸受１６を介して支柱部材６の右側面に対して上下方向に沿って垂直に突出している。下側ブラケット２２の左右幅は、上側ブラケット２１の左右幅とほぼ同じ幅に形成されている。
【００４１】
また、下側ブラケット２２の前面部の右上角部には、下側ブラケット２２の上端縁部から前側に突出する側面視Ｌ字形の当接ブラケット２８がネジ止めや溶接等により取り付けられている。この当接ブラケット２８には、回転軸２６が回転可能に挿通される不図示の貫通孔が形成されている。従って、回転軸２６が当接ブラケット２８の貫通孔に挿通された状態で、下側ブラケット２２が上方向に移動した場合には、当接ブラケット２８の上端面が、リンク機構４６の第１のリンク板４６Ａの下端面に当接して、下側ブラケット２２の上方向への移動が停止される。
【００４２】
また、当接ブラケット２８から下方に突出する回転軸２６には、下側から略円筒状のカラー部材３１が回転軸２６に対して上下方向に摺動移動可能、且つ、周方向に摺動回転可能に挿通されている。回転軸２６に挿通されたカラー部材３１の上端面が当接ブラケット２８に当接した場合には、カラー部材３１の下端が回転軸２６の下端に位置するように構成されている。
【００４３】
また、カラー部材３１の下端部には、内径が径方向外側に拡径されて、回転軸２６の下端部との間に、リクライニングプレート１２から上方に突出する操作軸１３に掛着されるトーションスプリング７３を下側から挿入可能なスプリング取付溝３１Ａが、当該トーションスプリング７３の高さにほぼ等しい深さで形成されている。このスプリング取付溝３１Ａの外周部には、トーションスプリング７３の外側に巻き出された外側端部７３Ａが外方に突出される軸方向に沿った周方向所定幅の切欠溝３１Ｂが、スプリング取付溝３１Ａの全深さに渡って形成されている。
【００４４】
また、切欠溝３１Ｂの周方向両側には、外側端部７３Ａが係止されるバネ掛片７５Ａ（図９参照）に接触しない周方向幅で半径方向に所定深さ窪んだ凹部３１Ｈが形成されている。また、カラー部材３１の下端部において、切欠溝３１Ｂの上下方向中央部に対して径方向反対側には、カラー部材３１の外周面からスプリング取付溝３１Ａまで貫通するネジ孔が形成され、止めネジタイプのホルダ付マグネット３１Ｊ（図５参照）が、スプリング取付溝３１Ａ内に突出しないようにねじ込まれている。
【００４５】
これにより、スプリング取付溝３１Ａ内において、ホルダ付マグネット３１Ｊの周辺部分が磁化されて、スプリング取付溝３１Ａ内に挿入されたトーションスプリング７３が、上下方向に着脱可能に保持されて、落ちないように構成されている。尚、止めネジタイプのホルダ付マグネット３１Ｊに替えて、カラー部材３１の外周面からスプリング取付溝３１Ａまで貫通する貫通孔を形成し、この貫通孔に棒状のマグネットを嵌入して、接着剤等で固定してもよい。また、止めネジタイプのホルダ付マグネット３１Ｊに替えて、カラー部材３１の下端部に、電磁石等を装着するようにしてもよい。
【００４６】
ここで、トーションスプリング７３の概略構成について図８及び図９に基づいて設目する。図８に示すように、トーションスプリング７３は、操作軸１３への挿通先となる内側端部７３Ｂが、操作軸１３の断面矩形状の角張った断面形状部に合致する矩形状に曲げられた形に形成されている。そして、内側端から反時計方向へ所定回数（図８では、３回）断面円形状に巻かれた後、所定長さ外側に巻き出された端部が折り曲げられて外側端部７３Ａが形成されている。これにより、トーションスプリング７３は、内側端部７３Ｂが操作軸１３に挿通されることによって、操作軸１３に対して回転方向に一体的な状態となって掛着される。
【００４７】
図９に示すように、リクライニングプレート１２の上面には、取付リブ７５が操作軸１３の軸心に対して同心の平面視略円弧状に立設されている。取付リブ７５の周方向中央位置は、操作軸１３の断面長手方向の中心線に対して所定角度だけ平面視反時計方向に位置するように設けられている。バネ掛片７５Ａが、取付リブ７５の上端部中央から直角に半径方向内側へ延出されている。そして、トーションスプリング７３の外側に巻き出された外側端部７３Ａは、内側端部７３Ｂが操作軸１３に挿通されて掛着された後、平面視反時計方向へ捩じり込まれて、バネ掛片７５Ａに掛着されて固定される。これにより、操作軸１３には、貫通孔１２Ａとの間でバタつかないように付勢力が付加される。
【００４８】
また、図１乃至図３に示すように、カラー部材３１の外周面には、所定幅（例えば、幅約６ｍｍ）で軸方向に沿って斜め螺旋状に切り欠かれた案内切欠溝３１Ｃが形成されている。この案内切欠溝３１Ｃは、軸方向上側から見た場合に、反時計方向へ切り欠かれている。また、回転軸２６の外周面には、カラー部材３１の上端面が当接ブラケット２８に当接した際に、案内切欠溝３１Ｃの下端部から径方向外側に突出する突出軸部材７７が立設されている。
【００４９】
そして、引張コイルバネ３２の一端が、上側ブラケット２１の前面に固定されたブラケット４３の前端面から前側方向へ立設されたバネ掛けポスト４３Ａに掛着され、引張コイルバネ３２の他端が、カラー部材３１の下端部の外周面に立設されたバネ掛けポスト３１Ｄに掛着されている。これにより、カラー部材３１及び当接ブラケット２８が、引張コイルバネ３２を介して上方向に付勢力が付加されて、通常時は、下側ブラケット２２は、上方へ持ち上げられ、当接ブラケット２８の上端面が、リンク機構４６の第１のリンク板４６Ａの下面に当接された状態にセットされる。また、突出軸部材７７が案内切欠溝３１Ｃの下端部に当接した状態にセットされる。
【００５０】
また、トーションスプリング７３の外側端部７３Ａを切欠溝３１Ｂに挿入して、スプリング取付溝３１Ａ内にトーションスプリング７３を挿入した場合には、トーションスプリング７３の内側端部７３Ｂの矩形状に曲げられた部分が、操作軸１３の断面矩形状の先端部に挿入可能な角度に設定されて、保持される。これにより、後述のように、回転軸２６の下端面が操作軸１３の上端面に当接された場合には、トーションスプリング７３の内側端部７３Ｂが操作軸１３の上端部にスムーズに挿通可能な状態に設定される。
【００５１】
また、回転軸２６の回転が停止された状態で、カラー部材３１が引張コイルバネ３２の付勢力に抗して下側へ移動した場合に、カラー部材３１は、案内切欠溝３１Ｃに沿って平面視反時計方向へ回転するように案内されて、トーションスプリング７３の外側端部７３Ａが、取付リブ７５のバネ掛片７５Ａよりも平面視反時計方向へ捩じられるように設定されている。また、凹部３１Ｈの周方向の幅は、カラー部材３１が下方に移動した際に、バネ掛片７５Ａに当接しない幅に形成されている。
【００５２】
また、細長板状の連結レバーリンク２５の一端（下端部）は、下側ブラケット２２の左右方向中央から前側へ上下方向に沿って所定高さ前側へ突出する側面視略三角形状で板状のリンク取付ブラケット７９の右面の略中央部に重ねられて、回転自在に取り付けられている。また、連結レバーリンク２５の他端（上端部）は、旋回レバー２３の後端部から少し手前側の下面の左側縁部から、ロック解除部材７１に相対向するように外方へ延出された側面視略矩形で平板状のリンク取付ブラケット８１の左面に重ねられて、回転自在に取り付けられている。
【００５３】
また、連結レバーリンク２５は、リンク取付ブラケット７９に取り付けられた一端（下端部）から上側ブラケット２１の上端縁部に対向する高さまで鉛直方向に沿って伸びた後、後側斜め上方向へ傾斜するように伸びて、リンク取付ブラケット８１に他端（上端部）が回転自在に取り付けられている。これにより、旋回レバー２３の把持部２３Ａが、通常時には、旋回レバー２３の後端部よりも上側へ所定高さ回動された状態で保持されている。
【００５４】
次に、上記のように構成されたスプリング装着装置１によるトーションスプリング７３の操作軸１３への取り付けについて図４乃至図７に基づいて説明する。尚、カラー部材３１のスプリング取付溝３１Ａには、トーションスプリング７３が予め下側から挿入されて保持されている。
【００５５】
図４に示すように、先ず、作業者は、持ち手４１を下方へ押下し、上側ブラケット２１及び下側ブラケット２２を各ワイヤ３３、３５及びワイヤ巻取装置８を介して負荷される上方への付勢力に抗して、下方へ移動させ、回転軸２６の下端面を操作軸１３の上端面に当接させる。これにより、上側ブラケット２１の裏側に配置されたロック爪５２の係合突起５２Ａが、支柱部材６の右面に立設された位置決めピン５７に係合されて、上側ブラケット２１が、この状態で上下移動不能に固定される。
【００５６】
続いて、図５に示すように、作業者は、旋回レバー２３を下方へ回動させることによって、連結レバーリンク２５を介して下側ブラケット２２を下方へ移動させる。これにより、下側ブラケット２２に取り付けられた当接ブラケット２８を介してカラー部材３１が、引張コイルバネ３２の上方への付勢力に抗して下方へ移動される。また、回転軸２６は、カラー部材３１の案内切欠溝３１Ｃに突出する突出軸部材７７を介して、引張コイルバネ３２によって平面視時計方向へ回動するように付勢される。しかし、上端部に取り付けられた回転ロック部材６１の段差部６３Ａに、ロックレバー６６のロックポスト６６Ａが進入して当接するため、回転軸２６は、平面視時計方向への回動が阻止され、回転しないように固定されている（図３参照）。
【００５７】
そのため、カラー部材３１は、外周面に形成された案内切欠溝３１Ｃに沿って下方に押下げられつつ、軸回りに平面視反時計方向へ回動され、トーションスプリング７３の外側端部７３Ａが平面視反時計方向へ捩じられつつ、内側端部７３Ｂが操作軸１３に挿通されていく。また、カラー部材３１の下端部に形成された凹部３１Ｈにバネ掛片７５Ａが下側から進入する。
【００５８】
そして、図５及び図６に示すように、作業者が旋回レバー２３を更に下方へ回動させて、旋回レバー２３の下面から突出するロック解除部材７１でロックレバー６６の押さえ部６６Ｂを下方に押すことによって、ロックレバー６６のロックポスト６６Ａが、回転ロック部材６１の段差部６３Ａから上方へ外れる。その結果、回転ロック部材６１及び回転軸２６が、引張コイルバネ３２の付勢力によって一体的に平面視時計方向へ回動されて、回転ロック部材６１の下側ロック板６５が回転止めブラケット６９に当接される。
【００５９】
これにより、回転軸２６及びカラー部材３１が一体的に所定角度だけ平面視時計方向に回動され、カラー部材３１の切欠溝３１Ｂから突出するトーションスプリング７３の外側端部７３Ａがバネ掛片７５Ａに掛着される。また、トーションスプリング７３の内側端部７３Ｂが操作軸１３に所定高さ挿通されて掛着される。
【００６０】
また、回転軸２６に固定されたブッシュ４５、及び、ブッシュ４５の下面に一端が固定された第１のリンク板４６Ａが、一体的に所定角度だけ平面視時計方向に回動される。このため、第１のリンク板４６Ａの他端に、一端が回転自在に取り付けられた第２のリンク板４６Ｂを介して第３のリンク板４６Ｃの他端が後側方向へ揺動され、ロック爪５２に当接して、ロック爪５２を後側方向へ揺動させる。その結果、ロック爪５２の係合突起５２Ａと位置決めピン５７との係合が解除され、各ワイヤ３３、３５及びワイヤ巻取装置８を介してスプリング取付冶具７が上方へ移動可能となる。
【００６１】
そして、図７に示すように、作業者が旋回レバー２３を離すことによって、引張コイルバネ３２の上方への付勢によって、カラー部材３１を介して当接ブラケット２８及び下側ブラケット２２が上方へ移動され、当接ブラケット２８が第１のリンク板４６Ａの下面に当接される。また、下側ブラケット２２が上方に移動することによって、連結レバーリンク２５を介して旋回レバー２３が上方へ回動されるため、ロック解除部材７１が上方へ移動し、ロックレバー６６の先端側が自重により下方へ回動される。
【００６２】
また、カラー部材３１が上方に移動することによって、案内切欠溝３１Ｃから突出する突出軸部材７７を介して回転軸２６が平面視反時計方向へ回動されるため、回転ロック部材６１も平面視反時計方向へ回動され、段差部６３Ａにロックレバー６６のロックポスト６６Ａが進入する。また、回転軸２６に固定されたブッシュ４５、及び、ブッシュ４５の下面に一端が固定された第１のリンク板４６Ａが、一体的に所定角度だけ平面視反時計方向に回動される。このため、第１のリンク板４６Ａの他端に、一端が回転自在に取り付けられた第２のリンク板４６Ｂを介して第３のリンク板４６Ｃの他端が前側方向へ揺動され、ロック爪５２から離間する。その結果、ロック爪５２が前側方向へ揺動されて初期位置に戻り、固定される。
【００６３】
また同時に、上側ブラケット２１と、上側ブラケット２１に旋回レバー２３及び連結レバーリンク２５を介して連結される下側ブラケット２２とが、一体的に各ワイヤ３３、３５及びワイヤ巻取装置８によって上方へ移動される。そして、上側ブラケット２１の裏側面から延出された延出板３８が、支柱部材６の右面から右側方向へ延出されたネジ取付板３６の先端部にねじこまれた長ネジ３７の頭部に当接され、上側ブラケット２１が初期位置に戻り、固定される。これにより、スプリング取付冶具７が初期状態に再度設定される。
【００６４】
以上詳細に説明した通り、本実施形態に係るスプリング装着装置１では、作業者が、カラー部材３１の下端部にトーションスプリング７３を下側から挿入して、持ち手４１を下方へ押下し、回転軸２６の下端面を操作軸１３の上端面に当接させる。そして、作業者が、把持部２３Ａを持って旋回レバー２３を下方へ回動させ、旋回レバー２３のロック解除部材７１をロックレバー６６の押さえ部６６Ｂに当てて、下方へ回動させた後、旋回レバー２３を離すことによって、トーションスプリング７３をリクライニングプレート１２に取り付けることができ、組み付け工程の大幅な作業効率の向上を図ることができる。また、上側ブラケット２１及び下側ブラケット２２、カラー部材３１等を昇降させる駆動シリンダ、カラー部材３１を回転させるエンコーダ付きサーボモータ等を必要とせず、簡易な構成で製造コストを大幅に削減することが可能となる。
【００６５】
また、作業者が、持ち手４１を下方へ押下し、スプリング取付冶具７を所定高さ下降させてトーションスプリング７３の取り付け高さにセットすると、ロック爪５２が位置決めピン５７に係合して、上側ブラケット２１が上下移動不能に固定される。これにより、簡易な構成で、スプリング取付冶具７の上側ブラケット２１をワンタッチで上下移動不能に固定することができ、製造コストを大幅に削減することが可能となる。また、組み付け工程の更なる作業効率の向上を図ることができる。
【００６６】
また、旋回レバー２３が下方に回動されて、リクライニングプレート１２にトーションスプリング７３が取り付けられると同時に、ロック爪５２と位置決めピン５７との係合が解除されるため、スプリング取付冶具７が上方向に持ち上げられる。これにより、次のトーションスプリング７３をカラー部材３１の下端部に迅速に装着することが可能となり、組み付け工程の更なる作業効率の向上を図ることができる。
【００６７】
尚、本発明は前記実施形態に限定されることはなく、本発明の要旨を逸脱しない範囲内で種々の改良、変形、追加、削除が可能であることは勿論である。尚、以下の説明において上記図１乃至図９の前記実施形態に係るスプリング装着装置１の構成等と同一符号は、前記実施形態に係るスプリング装着装置１の構成等と同一あるいは相当部分を示すものである。
【００６８】
例えば、図１０に示すように、基台３上に配設されたスプリング装着装置１の左側に、スプリング装着装置１に対して左右対称に構成されたスプリング装着装置９１を配置し、それぞれの旋回レバー２３の把持部２３Ａを略円筒状の連結レバー部材９３で連結するようにしてもよい。従って、スプリング装着装置９１の下側載置台９５と支柱部材９６とスプリング取付冶具９７は、スプリング装着装置１の下側載置台５と支柱部材６とスプリング取付冶具７に対して、左右対称に構成されている。
【００６９】
これにより、スプリング装着装置１のカラー部材３１の下端部にトーションスプリング７３を装着する。また、スプリング装着装置９１のカラー部材９８の下端部に、トーションスプリング７３に対して左右対称に形成されたトーションスプリング９９を装着する。その後、連結レバー部材９３を下方に回動することによって、一度に２個のトーションスプリング７３、９９をシートバックフレームの左右のリクライニングプレート１２に取り付けることが可能となり、組み付け工程の更なる作業効率の向上を図ることができる。
【００７０】
尚、例えば、基台３上にスプリング装着装置９１に替えて、スプリング装着装置１を配置して、両スプリング装着装置１のそれぞれの旋回レバー２３の把持部２３Ａを略円筒状の連結レバー部材９３で連結するようにしてもよい。これにより、両スプリング装着装置１のカラー部材３１の下端部にトーションスプリング７３を装着する。その後、連結レバー部材９３を下方に回動することによって、一度に２個のトーションスプリング７３を２個のリクライニングプレート１２のそれぞれに取り付けることが可能となり、組み付け工程の更なる作業効率の向上を図ることができる。
【符号の説明】
【００７１】
１、９１      スプリング装着装置
３      基台
５、９５      下側載置台
６、９６      支柱部材
７、９７      スプリング取付冶具
８      ワイヤ巻取装置
１２      リクライニングプレート
１３      操作軸
２１      上側ブラケット
２２      下側ブラケット
２３      旋回レバー
２５      連結レバーリンク
２６      回転軸
２７      軸支持部材
２８      当接ブラケット
３１、９８      カラー部材
３１Ａ      スプリング取付溝
３１Ｃ      案内切欠溝
３２      引張コイルバネ
３３、３５      ワイヤ
４６      リンク機構
５２      ロック爪
５７      位置決めピン
６１      回転ロック部材
７１      ロック解除部材
７３、９９      トーションスプリング
７３Ａ      外側端部
７３Ｂ      内側端部
７５Ａ      バネ掛片
７７      突出軸部材
９３      連結レバー部材
【図１】
2019055467.tif 000003
【図２】
2019055467.tif 000004
【図３】
2019055467.tif 000005
【図４】
2019055467.tif 000006
【図５】
2019055467.tif 000007
【図６】
2019055467.tif 000008
【図７】
2019055467.tif 000009
【図８】
2019055467.tif 000010
【図９】
2019055467.tif 000011
【図１０】
2019055467.tif 000012